(57)【要約】【課題】リテーナを軸直角方向の後退位置から押込位置まで押し込む際に、リテーナが途中で停止して半嵌まり状態となることを防止でき、相手パイプと配管用チューブとの接続作業後にリテーナがコネクタ本体から外れてしまうのを確実に防止することのできるクイックコネクタを提供する。【解決手段】リテーナ１８をコネクタ本体のリテーナ保持部２２に軸直角方向の押込位置まで押し込んで相手パイプを抜止状態にロックするクイックコネクタにおいて、リテーナ１８の爪４８を押込方向にガイドするガイド面６２の形状を、軸直角方向の中間部位に頂部Ｐを有する山形状となし、押込みの際に爪４８が頂部Ｐに至るまでは弾性脚４６の弾性力をリテーナ１８に対して後退位置に戻す方向の付勢力として作用させる一方、頂部Ｐを乗り越えてからは弾性脚４６の弾性力をリテーナ１８に対し押込位置に押す向きの付勢力として作用させるようにする。【選択図】        図７
2007255669.tif 000002
【特許請求の範囲】
【請求項１】
（Ａ）軸方向の一方の側に配管用チューブの接続部を有するとともに、軸方向の他方の側にリテーナ保持部を備えたコネクタハウジングを有する筒状のコネクタ本体と、（Ｂ）該リテーナ保持部に対して軸直角方向に装着され、該軸直角方向の後退位置で、外周面に環状に突出した鍔状部を有する相手パイプを前記コネクタハウジングに対して接続位置まで挿入可能とするとともに、軸直角方向の嵌込完了位置である押込位置で該相手パイプを抜止状態にロックするリテーナと、を有し、且つ該リテーナには、(a)基部と、(b)該基部から軸直角方向に延び出し、該リテーナの前記押込位置で前記コネクタハウジングに挿入された前記相手パイプの鍔状部の挿入側とは反対側の後面に当接して該相手パイプを抜け止めする抜止脚と、(c)該基部から軸直角方向に延び出した一対の弾性脚と、(d)それら一対の弾性脚の各端部に設けられ、前記相手パイプの非挿入状態且つ前記リテーナの前記後退位置で、前記リテーナ保持部に設けられた第１掛止部に対して該リテーナの押込方向に掛止して該リテーナの押込方向の移動を阻止する第１掛止爪と、(e)前記相手パイプの挿入状態且つ前記押込位置で前記リテーナ保持部に設けられた第２掛止部に対して該リテーナの後退方向に掛止して、該リテーナの前記後退位置に向けての移動を阻止する第２掛止爪と、(f)前記相手パイプの挿入時に前記鍔状部の前面に当接して前記弾性脚を、前記第１掛止爪が前記第１掛止部に対して掛止解除する方向に弾性変形させ、前記リテーナを前記押込方向に移動可能とする掛止解除部と、(g)前記相手パイプの挿入状態で前記リテーナを前記押込位置まで押し込む際に、前記一対の弾性脚を弾性変形させた状態で前記第２掛止爪を軸直角方向に移動ガイドする、前記リテーナ保持部に設けられたガイド部と、が備えられて成るクイックコネクタにおいて、
前記ガイド部のガイド面の形状を、軸直角方向の中間部位に頂部を有する山形状となし、前記押込みの際に前記第２掛止爪が該ガイド面の曲りの変曲点となる頂部に至るまでは前記弾性脚の弾性力を前記リテーナに対して前記後退位置に戻す方向の付勢力として作用させる一方、前記頂部を乗り越えてからは該弾性脚の弾性力を前記リテーナに対し、前記押込位置に押す向きの付勢力として作用させるようになしてあることを特徴とするクイックコネクタ。
【請求項２】
請求項１において、前記一対の弾性脚が、軸直角方向に弾性的に拡開・収縮変形し且つ前記リテーナ保持部を外周面から内向きに弾性的に把持するものであって、前記ガイド部が、該リテーナ保持部の外周面に沿って設けてあることを特徴とするクイックコネクタ。
【発明の詳細な説明】
【技術分野】
【０００１】
この発明は配管用チューブと相手パイプとを迅速に接続することのできるクイックコネクタに関する。
【背景技術】
【０００２】
従来より、配管用チューブを相手パイプと接続するための接続器具としてクイックコネクタが広く用いられている。
このクイックコネクタには様々な種類，形態のものが知られているが、その一つとして、軸方向の一方の側に配管用チューブの接続部を有し、また他方の側にコネクタハウジングを有する筒状のコネクタ本体のリテーナ保持部に、リテーナを軸直角方向に装着し、そしてリテーナを軸直角方向の後退位置に位置させた状態で、相手パイプを接続位置（挿入完了位置）まで挿入可能とするとともに、リテーナを軸直角方向の嵌込完了位置である押込位置に位置させた状態で相手パイプを抜止状態にロックするようになしたものが知られている。
【０００３】
例えば下記特許文献１にこの種のクイックコネクタが開示されている。
図１９はその具体例を示している。
図において２００は配管用チューブを接続すべき相手パイプで、先端から所定距離離れた位置の外周面に、環状に突出した形態の鍔状部２０２が設けられている。
２０４はクイックコネクタで、このクイックコネクタ２０４は筒状をなすコネクタ本体２０６と、相手パイプ２００の抜止めをなすリテーナ２０８とを有している。
コネクタ本体２０６は、軸方向の一方の側に配管用チューブとの接続部２０９を有し、また他方の側にリテーナ保持部２１０を備えたコネクタハウジング２１２を有している。
このコネクタ本体２０６は、軸端に相手パイプ２００の挿入用の開口２１４を備えている。
【０００４】
リテーナ２０８は、コネクタ本体２０６のリテーナ保持部２１０に軸直角方向に装着され、その軸直角方向の後退位置で、コネクタハウジング２１２に対して相手パイプ２００を接続位置まで挿入可能とするとともに、軸直角方向の押込位置、即ち嵌込完了位置で相手パイプ２００を抜止状態にロックするもので、このリテーナ２０８は、基部２１６と、基部２１６から軸直角方向に延び出した一対の抜止脚２１８と、基部２１６から抜止脚２１８と同じ方向に延び出した一対の弾性脚２２０とを有している。
【０００５】
ここで一対の弾性脚２２０は軸直角方向に拡開・収縮可能、即ち互いに接近し又は離間する方向に弾性変形可能とされている。
これら一対の弾性脚２２０の各先端部には、互いに軸直角方向の内向きに突出する爪２２２が設けられている。またこれら爪２２２にはカム部（掛止解除部）２２４が設けられている。
【０００６】
このクイックコネクタ２０４は、次のようにして配管用チューブと相手パイプ２００とを接続する。
リテーナ２０８は、コネクタ本体２０６のリテーナ保持部２１０に対し軸直角方向に装着され、そして相手パイプ２００を挿入する前の状態では、リテーナ保持部２１０において軸直角方向の後退位置に保持されている。
【０００７】
このときリテーナ２０８の内向きの爪２２２は、リテーナ保持部２１０に設けられた第１掛止部２２６，第３掛止部２２８の何れに対しても掛止した状態にあり、図中下方向にもまた上方向にも動きが拘束された状態にある。
即ちリテーナ２０８は、爪２２２の第１掛止部２２６に対する掛止によって下向きへの移動、即ち嵌込完了位置である押込位置に向けての移動が阻止され、また第３掛止部２２８への掛止によって上向きへの移動、即ちリテーナ保持部２１０から軸直角方向外方に抜け出す方向にも移動が阻止された状態にある。
【０００８】
この状態で相手パイプ２００を開口２１４を通じて接続位置までコネクタハウジング２１２の内部に挿入する（このときリテーナ２０８の抜止脚２１８は相手パイプ２００の鍔状部２０２の通過を許容する）。
而して相手パイプ２００を接続位置まで挿入すると、その過程で爪２２２に設けたカム部２２４が、相手パイプ２００の鍔状部２０２の前面（図中Ｐで表す挿入方向の側の面）に当接して、カム作用で一対の弾性脚２２０を押し開き、爪２２２と第１掛止部２２６との掛止を解除する。尚このとき、爪２２２と第３掛止部２２８との掛止も同時に解除される。
この状態でリテーナ２０８は下向きに押込み可能な状態となる。
そこでリテーナ２０８を下向きに押し込むと、リテーナ保持部２１０の外周面に沿って設けられた、軸直角方向のガイド用のガイド部２３２におけるガイド面２３４により、爪２２２が弾性脚２２０を拡開状態に弾性変形させた状態で軸直角方向にガイドされつつ下向きに摺動移動し、そして嵌込完了位置である押込位置で爪２２２がリテーナ保持部２１０の第３掛止部２３０に掛止した状態となって、ここにリテーナ２０８がその押込位置に保持される。
【０００９】
このリテーナ２０８の押込位置では、一対の抜止脚２１８が相手パイプ２００の鍔状部２０２の後面に当接した状態となって、相手パイプ２００のコネクタハウジング２１２からの抜けを阻止する。即ち相手パイプ２００をコネクタ本体２０６から抜止状態にロックする。
【００１０】
しかしながらこのクイックコネクタ２０４では、ガイド面２３４が軸直角方向の平坦且つストレート形状をなしており、リテーナ２０８を後退位置から押込位置に向けて押し込む際に、爪２２２がガイド面２３４上に乗ったまま、途中で停止することができるため、作業者がリテーナ２０８を完全嵌込位置即ち押込位置まで押し込まずに、途中で押し込みを止めてしまう場合が想定される。
即ち作業者が、リテーナ２０８を完全に嵌め込んでいないにもかかわらず、リテーナ２０８の嵌込みが完了したものと思って、そこで作業を終えてしまう恐れがある。
【００１１】
この場合リテーナ２０８の爪２２２は、リテーナ保持部２１０の第２掛止部２３０に掛止していないため、リテーナ２０８による相手パイプの２００の、コネクタ本体２０６からの抜止めが不充分なままとなってしまう。
またクイックコネクタによる配管接続を車両の配管接続に適用した場合に、走行中その他の場面でリテーナー２０８に対し何らかの外力が引抜方向に働いたとき、リテーナ２０８の爪２２２が途中でリテーナ保持部２１０の第３掛止部２２８に掛止することがないので、そのままリテーナ２０８がコネクタ本体２０６から軸直角方向外方に外れてしまう恐れがある。而してリテーナ２０８がコネクタ本体２０６から外れてしまうと、リテーナ２０８による相手パイプ２００の抜止め、即ちロックが働かなくなってしまう。
この場合において、リテーナ２０８に対して引抜方向の力が働いたときにリテーナを後退位置で停止させるための掛止機構を付加することも考えられるが、リテーナ２０８がコネクタ本体２０６から外れるのは防止し得ても、リテーナ２０８による相手パイプ２００の抜止めのためのロックは働かない。。
【００１２】
【特許文献１】特開２００４−２５１３１９号公報
【発明の開示】
【発明が解決しようとする課題】
【００１３】
本発明は以上のような事情を背景とし、リテーナを後退位置から押込位置まで押し込む際にリテーナが途中で停止した状態、即ち半嵌り状態となることを防止し得て、リテーナを確実に嵌込完了位置ある押込位置に押込んだ状態とすることのできるクイックコネクタを提供することを目的としてなされたものである。
【課題を解決するための手段】
【００１４】
而して請求項１のものは、（Ａ）軸方向の一方の側に配管用チューブの接続部を有するとともに、軸方向の他方の側にリテーナ保持部を備えたコネクタハウジングを有する筒状のコネクタ本体と、（Ｂ）該リテーナ保持部に対して軸直角方向に装着され、該軸直角方向の後退位置で、外周面に環状に突出した鍔状部を有する相手パイプを前記コネクタハウジングに対して接続位置まで挿入可能とするとともに、軸直角方向の嵌込完了位置である押込位置で該相手パイプを抜止状態にロックするリテーナと、を有し、且つ該リテーナには、(a)基部と、(b)該基部から軸直角方向に延び出し、該リテーナの前記押込位置で前記コネクタハウジングに挿入された前記相手パイプの鍔状部の挿入側とは反対側の後面に当接して該相手パイプを抜け止めする抜止脚と、(c)該基部から軸直角方向に延び出した一対の弾性脚と、(d)それら一対の弾性脚の各端部に設けられ、前記相手パイプの非挿入状態且つ前記リテーナの前記後退位置で、前記リテーナ保持部に設けられた第１掛止部に対して該リテーナの押込方向に掛止して該リテーナの押込方向の移動を阻止する第１掛止爪と、(e)前記相手パイプの挿入状態且つ前記押込位置で前記リテーナ保持部に設けられた第２掛止部に対して該リテーナの後退方向に掛止して、該リテーナの前記後退位置に向けての移動を阻止する第２掛止爪と、(f)前記相手パイプの挿入時に前記鍔状部の前面に当接して前記弾性脚を、前記第１掛止爪が前記第１掛止部に対して掛止解除する方向に弾性変形させ、前記リテーナを前記押込方向に移動可能とする掛止解除部と、(g)前記相手パイプの挿入状態で前記リテーナを前記押込位置まで押し込む際に、前記一対の弾性脚を弾性変形させた状態で前記第２掛止爪を軸直角方向に移動ガイドする、前記リテーナ保持部に設けられたガイド部と、が備えられて成るクイックコネクタにおいて、前記ガイド部のガイド面の形状を、軸直角方向の中間部位に頂部を有する山形状となし、前記押込みの際に前記第２掛止爪が該ガイド面の曲りの変曲点となる頂部に至るまでは前記弾性脚の弾性力を前記リテーナに対して前記後退位置に戻す方向の付勢力として作用させる一方、前記頂部を乗り越えてからは該弾性脚の弾性力を前記リテーナに対し、前記押込位置に押す向きの付勢力として作用させるようになしてあることを特徴とする。
【００１５】
請求項２のものは、請求項１において、前記一対の弾性脚が、軸直角方向に弾性的に拡開・収縮変形し且つ前記リテーナ保持部を外周面から内向きに弾性的に把持するものであって、前記ガイド部が、該リテーナ保持部の外周面に沿って設けてあることを特徴とする。
【発明の作用・効果】
【００１６】
以上のように本発明は、ガイド面の形状を軸直角方向の中間部位に頂部を有する山形状となし、リテーナの押込みの際に、第２掛止爪がガイド面の曲りの変曲点となる頂部に到るまでは、弾性脚の弾性力をリテーナに対し後退位置に戻す方向の付勢力として作用させる一方、頂部を乗り越えてからは、弾性脚の弾性力をリテーナに対し押込位置に押す向きの付勢力として作用させるようになしたもので、本発明では、後退位置にあるリテーナを嵌込完了位置である押込位置まで押し込む際に、リテーナが途中で停止してしまうことはなく、押込途中でリテーナから手を離すと、第２掛止爪がガイド面の頂部に到る前であれば自動的にリテーナが後退方向へと戻ってしまい、或いはまた第２掛止爪が頂部を乗り越えていれば手を離すとリテーナが自動的に押込位置まで嵌まり込む。
【００１７】
而してリテーナが後退位置にあれば、その状態は作業者が一見して分るため、改めてリテーナの押込みを行うこととなる。
それ故本発明によれば、リテーナの押込みの際に確実にこれを最終の押込位置まで押し込んだ状態とすることができ、その後においてリテーナに対し何らかの外力によって引張力が働くのを有効に回避することができるとともに、例えそのような引張力が働いたとしても、第２掛止爪の第２掛止部に対する掛止作用によって、リテーナが押込位置から軸直角方向即ちその外方の抜け方向に移動するのを確実に防止することができる。
【００１８】
ここで一対の弾性脚は、互いに接近し又は離間する方向に軸直角方向に弾性的に拡開又は収縮するものとなしておくことができる。
この場合において上記第１掛止爪，第２掛止爪は軸直角方向に突出した形態となし、また第１掛止部，第２掛止部をそれら第１掛止爪，第２掛止爪に対応する向きで設けておくことができる。
また上記掛止解除部は、上記鍔状部の前面への当接によりカム作用で弾性脚を拡開させるカム部にて構成しておくことができる。
【００１９】
本発明では、上記一対の弾性脚を軸直角方向に弾性的に拡開収縮変形し且つリテーナ保持部を外周部から内向きに弾性的に把持するものとなし、上記ガイド部を、リテーナ保持部の外周面に沿って設けておくことができる（請求項２）。
【発明を実施するための最良の形態】
【００２０】
次に本発明の実施形態を図面に基づいて詳しく説明する。
図１〜図４において、１０は配管用チューブ（以下単にチューブと略す）を接続すべき金属製又は樹脂製の相手パイプ（ここでは樹脂製）で、先端から所定距離離れた位置の外周面に環状に突出した鍔状部１２を有している。
１４はクイックコネクタ（ここでは樹脂製）で、コネクタ本体１６とリテーナ１８とを有している。
コネクタ本体１６は、全体として筒状且つエルボ状を成しており、軸方向の一方の側にチューブ接続部としてのニップル部２０を有し、また他方の側にリテーナ保持部２２を備えたコネクタハウジング２４を有している。
【００２１】
ニップル部２０の外周面には、軸方向に沿って断面鋸歯状を成し先端が鋭角を成す複数の環状突起２６が設けられている。
これら環状突起２６は、ニップル部２０をチューブの内部に圧入したときにチューブの内面に食い込んでチューブの抜止めをなす。
尚このニップル部２０の付根には、チューブへのニップル部２０の圧入量を規定するフランジ部２８が設けられている。
一方コネクタハウジング２４は軸端（図中左端）に開口３０を備えており、またその内部にはシールリングとしての一対のＯリング３２が、樹脂製の中間リング３４及びブッシュ３６とともに保持されている。
これらＯリング３２は、コネクタハウジング２４内部に挿入された相手パイプ１０の外周面に弾性接触して、コネクタハウジング２４と相手パイプ１０との間を気密にシールする。
【００２２】
リテーナ保持部２２には、一対のフランジ部３８が設けられていて、それら一対のフランジ部３８の間に嵌込溝４０が形成されており、そこにリテーナ１８が装着され保持されている。
相手パイプ１０は、コネクタハウジング２４内部に接続位置まで挿入され、その状態でリテーナ１８により抜け止めされる。
詳しくは、相手パイプ１０は鍔状部１２がコネクタハウジング２４内部に保持されたブッシュ３６の軸端面（図中左端面）に当る位置まで挿入され、その状態でリテーナ１８における後述の抜止脚４４が、鍔状部１２の挿入側とは反対側の後面（図中左面）に当接することで、かかる抜止脚４４によって図中左方向への抜けが防止される。
【００２３】
図９及び図１０に、上記リテーナ１８の構成が具体的に示してある。
図に示しているように、リテーナ１８は全体として略門形をなす部材で、基部４２と、基部４２から軸直角方向に延び出した一対の抜止脚４４、更にそれら抜止脚４４の外側において基部４２から抜止脚４４と同じ方向に延び出した一対の弾性脚４６を有している。
ここで一対の抜止脚４４は、図２（Ｂ）に示しているようにリテーナ１８を、リテーナ保持部２２において軸直角方向に押込位置（嵌込完了位置）まで押し込んだ状態で、相手パイプ１０の鍔状部１２の後面に当接し、相手パイプ１０のコネクタハウジング２４からの抜止めをなす。
一方、一対の弾性脚４６はリテーナ保持部２２を外周面から抱きかかえるようにして弾性的に把持する部分で、互いに接近し又は離間する方向に、軸直角方向に弾性的に拡開又は収縮変形可能とされている。
これら一対の弾性脚４６の端部には、互いに内向きに突出した爪４８が一体に形成されている。
【００２４】
図４〜図７は、リテーナ１８をリテーナ保持部２２に軸直角方向に装着し、且つその軸直角方向においてリテーナ１８を後退位置に位置させた状態を表している。
これらの図に示しているように、リテーナ１８はこの後退位置において一対の弾性脚４６のそれぞれの端部に設けられた爪４８が、リテーナ保持部２２に設けられた掛止部（第１掛止部）５０に対し、リテーナ４２の押込方向に掛止することで、押込移動が阻止された状態に保持される。即ち図中下向きの押込みが阻止された状態にリテーナ保持部２２に保持される。
これら爪４８はまた、リテーナ保持部２２の掛止部（第３掛止部）５２に対しても図中上向きに掛止した状態となり、爪４８の掛止部５２に対する掛止作用によって、リテーナ１８が図中上向き、即ちリテーナ保持部２２から軸直角方向外方に抜け出すのが防止される。
【００２５】
即ちこの実施形態において、爪４８は第１掛止爪としての機能，第３掛止爪としての機能を有している。
但し本実施形態において爪４８は、第３掛止爪としての機能を有しないものとして構成しておくこともできる。即ち爪４８に、リテーナ１８の抜け防止のための爪としての機能を無くしておくことができる。
尚、リテーナ保持部２２におけるこれら掛止部５０，５２は、図４に示しているように正面形状が鉤形形状に形成された貫通の窓部５４の縁部にて構成されている。
【００２６】
一方図８は、リテーナ１８を押込位置まで軸直角方向に押し込んだ状態を表しており、このとき、リテーナ１８における一対の弾性脚４６のそれぞれの爪４８は、リテーナ保持部２２に設けられた掛止部（第２掛止部）５６に対し図中上向き、即ち後退位置に向けて掛止した状態となり、この掛止作用によって、リテーナ１８の後退位置に向けての移動が阻止される。即ちリテーナ１８が爪４８の掛止部５６に対する掛止作用によって、嵌込完了位置である押込位置に保持される。
【００２７】
このように本実施形態では、リテーナ１８を後退位置から押込位置への移動を阻止する第１掛止爪５０と、リテーナ１８の押込位置から後退位置に向けての移動を阻止する第２掛止爪５６と、更に後退位置においてリテーナ１８を軸直角方向外方に抜け防止するための第３掛止爪５２とが爪４８に一体に構成されている。
但し抜け防止のための第３掛止爪５２としての働きは、本実施形態では無くすことができる点は上記した通りである。
【００２８】
本実施形態では、図９に示しているように一対の弾性脚４６における各爪４８の下面にカム部５８が設けられている。
一方リテーナ保持部２２にはその外周面に沿って、リテーナ１８を後退位置から嵌込完了位置である押込位置まで図中下向きに押し込む際に、爪５８を軸直角方向にガイドするガイド部６０が、リテーナ保持部２２の外周面から突出する状態で設けられている（図７参照）。
これらガイド部６０はガイド面６２を有しており、後退位置にあるリテーナ１８を押込位置まで押し込む際、一対の弾性脚４６を拡開方向に弾性変形させた状態で爪４８を摺動ガイドし、爪４８を後述のリテーナ保持部２２に設けた掛止部（第２掛止部）５６に掛止する位置に導く。
【００２９】
本実施形態においてガイド面６２は、図７に示しているように正面形状が全体として湾曲した山形状をなしており、その頂部Ｐを境としてその傾き方向が逆方向をなしている。
詳しくは、一対のガイド面６２における各上部６２ａは頂部Ｐから図中上向きに離れるに従って互いに接近する形状の面とされ、また一方下部６２ｂは、頂部Ｐから図中下向きに離れるに従って互いに接近する形状の面とされている。
【００３０】
従ってコネクタハウジング２４の内部に相手パイプ１０を挿入した状態で、図７に示す後退位置からリテーナ１８を図中下向きに押し込む際、爪４８がガイド面６２の曲りの変曲点となる頂部Ｐに到るまでは、一対の弾性脚４６の弾性力がリテーナ１８に対してこれを後退位置に戻す方向の付勢力として働き、また一方爪４８が頂部Ｐを乗り越えてからは、一対の弾性脚４６の弾性力がリテーナ１８を図中下向き、即ち押込位置に押す向きの付勢力として働く。
即ちリテーナ１８を図中下向きに押し込む際、爪４８が頂部Ｐに到るまではガイド面６２における上部６２ａの作用及び一対の弾性脚４６の弾性収縮作用で、リテーナ１８が後退位置に向けて戻ろうとし、また一方爪４８が頂部Ｐを乗り越えてからは、ガイド面６２の下部６２ｂの作用及び一対の弾性脚４６の弾性収縮作用によって、リテーナ１８が自然に押込位置まで移動しようとする。
【００３１】
その結果リテーナ１８は、押込前の後退位置又は嵌込完了位置である押込位置の２位置が安定した保持位置となり、それら２位置の間ではリテーナ１８は停止せずに、何れかの位置へと自動的に移動する。
従ってリテーナ１８に対し押込みの途中で手を離すと、リテーナ１８はその手を離した位置が爪４８が頂部Ｐに到る前か、頂部Ｐを乗り越えた後かによって、自動的に後退位置に戻るか、又は押込位置までリテーナ保持部２２に対して嵌り込む。
尚ここではカム面６２を湾曲形状となしているが、上部６２ａ，下部６２ｂを直線状の傾斜面とする山形状となすこともできる。
【００３２】
爪４８にはまた、図９及び図１０に詳しく示しているようにその前面（図中左面）にもカム部（掛止解除部）６４が設けられている。
このカム部６４は、リテーナ１８が図４〜図７に示す後退位置にある状態で相手パイプ１０を挿し込んだとき、相手パイプ１０の鍔状部１２の前面に当接してカム作用で一対の弾性脚４６を押し開き、爪４８の上記掛止部５０に対する掛止を解除するもので（このとき掛止部５２に対する爪４８の掛止も同時に解除される）、この状態でリテーナ１８を図中下向き、即ち押込位置への押込みが可能となる。
【００３３】
図９に示しているように、本実施形態では一対の抜止脚４４の端部にも爪６６が設けられている。
この爪６６は、後退位置にあるリテーナ１８が軸直角方向外方に抜けるのを防止するための第３掛止爪としてのものである。
詳しくはこの実施形態の場合、図５に示しているようにリテーナ１８が後退位置にある状態で、爪６６がリテーナ保持部２２に設けられた掛止部（第３掛止部）７０に掛止することで、リテーナ１８が軸直角方向の外方に抜け防止される。
【００３４】
この後退位置において、相手パイプ１０がコネクタハウジング２４内部に挿し込まれると、一対の弾性脚４６は、その端部に設けられた爪４８におけるカム部６４の鍔状部１２に対する当接によるカム作用で押し広げられ、爪４８の掛止部５０に対する掛止が解除される。
従って一対の抜止脚４４に爪６６が設けられていないと、リテーナ１８はこの状態で軸直角方向外方に抜き出し可能となってしまう。
ところがこの実施形態では、相手パイプ１０の鍔状部１２によって変形を受けない一対の抜止脚４４に、リテーナ１８の軸直角方向外方への抜止めのための爪６６が設けられているため、相手パイプ１０をコネクタハウジング２４内部に挿し込んだ状態においても、リテーナ１８は軸直角方向外方に抜け出すことはなく、押込方向の移動だけが許容される。
【００３５】
図９に示しているようにこの実施形態において、抜止脚４４の爪６６は軸方向（図５及び図６中左方向）に突出する形態で設けられている。
この爪６６を掛止させるリテーナ保持部２２側の掛止部７０は、図６に示しているようにリテーナ保持部２２に設けられた貫通の窓部７２の縁部（図１２，図１３参照）にて構成されている。
ここで掛止部７０は、爪６６の上面の平坦な形状に対応して平坦形状に形成されている。
窓部７２は、リテーナ１８をリテーナ保持部２２に対して軸直角方向に装着する際、一対の抜止脚４４の挿入窓部となるもので、抜止脚４４の爪６６は、この窓部７２を通過してリテーナ保持部１２２内部に挿入される。
このとき、抜止脚４４は図１６に示しているように軸方向（図中右方）に弾性変形することによって、爪６６を窓部７２に対して通過させる。
その爪６６の窓部７２に対する通過を円滑に行うため、爪６６には図９中左側の面にカム部６８が設けられている。
【００３６】
爪６６は、窓部７２を通過する際に、カム部６８を窓部７２の縁部に当接させ、その際のカム部６８のカム作用で抜止脚４４が図１６中右方に弾性変形することで、円滑に窓部７２を通過してリテーナ保持部２２内部に入り込むことができる。
而して抜止脚４４は、窓部７２が幅広部７４（図１１（Ｂ）参照）を有していて、爪６６の後側（図中右側）に弾性変形空間が確保されているため、窓部７２内部に挿入される際、円滑に同方向に弾性変形し得て、爪６６を窓部７２を通過して内部に挿入させることができる。
而して窓部７２を通過してリテーナ保持部２２の内部に挿入された爪６６は、その時点で抜止脚４４の弾性復元力で掛止部７０に対し掛止した状態となる。
【００３７】
図１４〜図１８は本実施形態におけるリテーナ１８の装着の手順及びリテーナ１８の作用を示している。
図１４及び図１５に示しているように、本実施形態ではリテーナ１８をリテーナ保持部２２に対し軸直角方向に嵌込装着する。このとき一対の弾性脚４６を、図５，図６，図１１及び図１３の窓部５４からリテーナ保持部２２内に挿入し、また一対の抜止脚４４を、リテーナ保持部２２の窓部７２からその内部に挿入する。
このとき一対の抜止脚４４は、図１６に示しているように爪６６に設けたカム部６８の作用、更に抜止脚４４の軸方向の弾性変形に基づいて、窓部７２からリテーナ保持部２２内部に挿入される。
このようにしてリテーナ保持部２２に装着したリテーナ１８を、図１７（Ｉ）に示しているように当初は後退位置に保持させておく。
この後退位置においてリテーナ１８は、軸直角方向の押込方向にも、また図中上方の抜出方向にも移動阻止された状態となる。
【００３８】
この状態で相手パイプ１０をコネクタハウジング２４の内部に挿入すると、相手パイプ１０の鍔状部１２と一対の弾性脚４６の爪４８のカム部６４との当接作用で、一対の弾性脚４６が弾性的に拡開し、相手パイプ１０を更に奥深くまで、詳しくはコネクタハウジング２４内部に保持されたブッシュ３６の軸端面に当接する位置まで（接続位置まで）挿し込み可能となる。即ち相手パイプ１０を接続位置まで更に挿し込み可能となる（図１７（II））。
【００３９】
而して相手パイプ１０が接続位置まで挿入されたところで、次に図１８に示しているように、後退位置にあるリテーナを軸直角方向に押し込んで（図１８（III））、嵌込完了位置である押込位置に位置させる。
この状態で一対の抜止脚４４が、相手パイプ１０の鍔状部１２の後面に当接した状態となって、ここに相手パイプ１０がコネクタハウジング２４から抜け止めされる（図１８（IV））。
【００４０】
以上のように本実施形態では、後退位置にあるリテーナ１８を押し込む際に、その途中で手を離してもリテーナ１８はそこに停止することはなく、自動的に後退位置に戻るか又は押込位置即ち完全嵌込位置まで自動的に移動してそこに保持される。
従って作業者が押込途中で手を離したときに、その位置でリテーナ１８が停止してしまい、作業者が押込み即ち嵌込みを完了したものと思って作業を止めてしまうことで、リテーナが半嵌り状態のままとなってしまうといったことがなくなり、リテーナ１８を確実に完全嵌込位置まで押し込んだ状態となすことができる。
【００４１】
尚本実施形態では、リテーナ１８に後退位置で抜止めするための爪６６が、一対の抜止脚４４に設けられており、しかもこの爪６６は、弾性脚４６の爪４８と異なって、相手パイプ１０を挿入した状態においても抜止めのための爪として働くことから、たとえリテーナ１８が半嵌り状態のままとなった場合においてリテーナ１８に対し引抜き方向の力が働いたときでも、一応はその爪６６によって、リテーナ１８がコネクタハウジング２４から完全に抜け出してしまうのを防止することが可能である。
【００４２】
しかしながらリテーナ１８が後退位置にある状態では、リテーナ１８は相手パイプ２００の抜け止めのためのロック部材として働かなくなる。
またリテーナ１８が後退位置にある状態では、リテーナ１８がコネクタハウジング２４から軸直角方向に大きく突出した状態となって、そこに外力が加わり易く、また強い外力が働いたときに、リテーナ１８がコネクタハウジング２４から外れてしまう恐れが生ずる。
しかしながら本実施形態では、配管用チューブと相手パイプ１０とを接続作業するとき、確実にリテーナ１８を完全嵌込位置まで押込状態とすることができるため、このような不具合の発生を未然に防止することができる。
【００４３】
以上本発明の実施形態を詳述したが、これはあくまで一例示である。
例えば上記実施形態ではリテーナ１８が一対の弾性脚にてリテーナ保持部２２の外周面を抱きかかえるようにしてリテーナ保持部２２に保持されるようになしてあるが、本発明は一対の弾性脚４６をリテーナ保持部２２の内部、即ちコネクタハウジング２４の内部に挿入し且つ内周壁に沿って軸直角方向に押し込んで、その押込位置に保持させる形式のクイックコネクタに対して適用することも可能であるし、また場合によって一対の弾性脚を軸方向に弾性変形させつつリテーナを軸直角方向に押し込んで、その押込位置に保持させるクイックコネクタに適用することも可能である。
更に本発明では、場合によって上記抜止脚を省略するとともに、一対の弾性脚に抜止脚としての働きを行わせるようにクイックコネクタを構成することも可能であるなど、本発明はその趣旨を逸脱しない範囲において種々変更を加えた形態で構成可能である。
【図面の簡単な説明】
【００４４】
【図１】本発明の一実施形態のクイックコネクタを相手パイプとの接続状態で示す斜視図である。
【図２】図１のクイックコネクタの一部を切り欠いて示す図である。
【図３】同実施形態におけるクイックコネクタを相手パイプとの接続前の状態で示す斜視図である。
【図４】図３の一部を切り欠いて示す図である。
【図５】同実施形態においてリテーナを後退位置に保持させた状態を示す斜視図である。
【図６】同実施形態においてリテーナ装着前の状態を示す図である。
【図７】同実施形態においてリテーナを後退位置に保持させたときの弾性脚及び抜止脚の状態を示す一部切欠図である。
【図８】同実施形態においてリテーナ押込位置での弾性脚及び抜止脚の状態を示す一部切欠図である。
【図９】同実施形態におけるリテーナの単品の斜視図である。
【図１０】図９のリテーナの正面図，背面図，側面図である。
【図１１】同実施形態におけるコネクタ本体の図である。
【図１２】図１１のコネクタ本体の正面図である。
【図１３】図１１のコネクタ本体を下方から見た斜視図である。
【図１４】同実施形態の作用説明図である。
【図１５】図１４に続く作用説明図である。
【図１６】同実施形態における抜止脚の挿入時の作用説明図である。
【図１７】図１５に続く作用説明図である。
【図１８】図１７に続く作用説明図である。
【図１９】従来のクイックコネクタの図である。
【符号の説明】
【００４５】
１０  相手パイプ
１２  鍔状部
１４  クイックコネクタ
１６  コネクタ本体
１８  リテーナ
２０  ニップル部
２２  リテーナ保持部
２４  コネクタハウジング
４２  基部
４４  抜止脚
４６  弾性脚
４８，６６  爪
５０  掛止部（第１掛止部）
５２  掛止部（第３掛止部）
５４，７２  窓部
５６  掛止部（第２掛止部）
５８，６８  カム部
６０  ガイド部
６２  ガイド面
６４  カム部（掛止解除部）
７０  掛止部
Ｐ  頂部
【図１】
2007255669.tif 000003
【図２】
2007255669.tif 000004
【図３】
2007255669.tif 000005
【図４】
2007255669.tif 000006
【図５】
2007255669.tif 000007
【図６】
2007255669.tif 000008
【図７】
2007255669.tif 000009
【図８】
2007255669.tif 000010
【図９】
2007255669.tif 000011
【図１０】
2007255669.tif 000012
【図１１】
2007255669.tif 000013
【図１２】
2007255669.tif 000014
【図１３】
2007255669.tif 000015
【図１４】
2007255669.tif 000016
【図１５】
2007255669.tif 000017
【図１６】
2007255669.tif 000018
【図１７】
2007255669.tif 000019
【図１８】
2007255669.tif 000020
【図１９】
2007255669.tif 000021